(57)【特許請求の範囲】
【請求項１】
複数の画像データを含むことで連続したページを構成するジョブを記憶する記憶部と、
前記ジョブにおいて構成される連続したページのうち、何れか一のページと他の何れか一のページとの間におけるページ順を保護する保護領域を決定し、決定された保護領域の情報を前記記憶されているジョブに対応付ける制御部と、
を備え、
前記制御部は、既に決定されている２以上の異なる保護領域にまたがって前記保護領域を決定しようとする場合、当該２以上の異なる保護領域を包含した領域まで保護領域を拡張し、拡張された保護領域の情報を前記記憶されているジョブに対応付ける画像形成装置。
【請求項２】
前記制御部は、前記保護領域による保護をより強化するため暗証番号からなる保護キーを生成し、生成された保護キーを前記保護領域の情報に対応付ける請求項１に記載の画像形成装置。
【請求項３】
前記ジョブは、ジョブ全体に関する設定情報を格納するジョブチケット及びジョブに含まれる画像データに関する設定情報をページごとに格納する複数のページチケットにより構成され、
前記制御部は、前記保護領域の情報を前記ジョブチケット又はページチケットに格納することにより、前記保護領域の情報を前記ジョブに対応付ける請求項１又は２に記載の画像形成装置。
【請求項４】
ジョブのページ編集を行うためのページ編集画面を表示し、該ページ編集画面において、ページ編集によりページが挿入される側のページ編集対象ジョブ及び該ページ編集対象ジョブにページを挿入する側の参照ジョブを表示する表示部と、
前記ページ編集画面においてページ編集を行うための入力部と、を備え、
前記制御部は、前記参照ジョブにおいて構成される何れか一のページが前記入力部により選択された場合、選択されたページのページ順が前記保護領域により保護されているか否かを判断し、保護されている場合、保護されている旨の内容を示す警告画面を前記表示部に表示する請求項１〜３の何れか一項に記載の画像形成装置。
【請求項５】
前記制御部は、前記入力部により選択された前記参照ジョブのページのページ順が前記保護領域により保護されている場合、当該選択されたページを含む保護領域全体の画像データを前記ページ編集対象ジョブに挿入してもよいか否かを判断し、保護領域全体の画像データを挿入してもよい場合、保護領域全体の画像データを挿入ページとして決定する請求項４に記載の画像形成装置。
【請求項６】
前記制御部は、前記ページ編集対象ジョブにおいて構成される連続したページのページ間のうち、何れか一のページ間が前記挿入ページの挿入位置として前記入力部により選択された場合、選択された挿入位置のページ順が前記保護領域により保護されているか否かを判断し、保護されている場合、保護されている旨の内容を示す警告画面を前記表示部に表示する請求項５に記載の画像形成装置。
【請求項７】
前記制御部は、前記入力部により選択された前記ページ編集対象ジョブにおける挿入位置のページ順が前記保護領域により保護されている場合、当該選択された挿入位置を保護領域でない位置まで移動してもよいか否かを判断し、移動してもよい場合、挿入位置を移動して移動された位置に前記挿入ページとして決定された画像データを挿入する請求項６に記載の画像形成装置。
【請求項８】
記憶部により、複数の画像データを含むことで連続したページを構成するジョブを記憶する工程と、
制御部により、前記ジョブにおいて構成される連続したページのうち、何れか一のページと他の何れか一のページとの間におけるページ順を保護する保護領域を決定し、決定された保護領域の情報を前記記憶されているジョブに対応付ける工程と、
を含み、
前記制御部により、既に決定されている２以上の異なる保護領域にまたがって前記保護領域を決定しようとする場合、当該２以上の異なる保護領域を包含した領域まで保護領域を拡張し、拡張された保護領域の情報を前記記憶されているジョブに対応付ける工程を含むページ順保護方法。
【請求項９】
前記制御部により、前記保護領域による保護をより強化するため暗証番号からなる保護キーを生成し、生成された保護キーを前記保護領域の情報に対応付ける工程を含む請求項８に記載のページ順保護方法。
【請求項１０】
前記ジョブは、ジョブ全体に関する設定情報を格納するジョブチケット及びジョブに含まれる画像データに関する設定情報をページごとに格納する複数のページチケットにより構成され、
前記制御部により、前記保護領域の情報を前記ジョブチケット又はページチケットに格納することにより、前記保護領域の情報を前記ジョブに対応付ける工程を含む請求項８又は９に記載のページ順保護方法。
【請求項１１】
表示部により、ジョブのページ編集を行うためのページ編集画面を表示し、該ページ編集画面において、ページ編集によりページが挿入される側のページ編集対象ジョブ及び該ページ編集対象ジョブにページを挿入する側の参照ジョブを表示する工程と、
入力部により、前記ページ編集画面においてページ編集を行う工程と、を含み、
前記制御部により、前記参照ジョブにおいて構成される何れか一のページが前記入力部により選択された場合、選択されたページのページ順が前記保護領域により保護されているか否かを判断し、保護されている場合、保護されている旨の内容を示す警告画面を前記表示部に表示する工程を含む請求項８〜１０の何れか一項に記載のページ順保護方法。
【請求項１２】
前記制御部により、前記入力部により選択された前記参照ジョブのページのページ順が前記保護領域により保護されている場合、当該選択されたページを含む保護領域全体の画像データを前記ページ編集対象ジョブに挿入してもよいか否かを判断し、保護領域全体の画像データを挿入してもよい場合、保護領域全体の画像データを挿入ページとして決定する工程を含む請求項１１に記載のページ順保護方法。
【請求項１３】
前記制御部により、前記ページ編集対象ジョブにおいて構成される連続したページのページ間のうち、何れか一のページ間が前記挿入ページの挿入位置として前記入力部により選択された場合、選択された挿入位置のページ順が前記保護領域により保護されているか否かを判断し、保護されている場合、保護されている旨の内容を示す警告画面を前記表示部に表示する工程を含む請求項１２に記載のページ順保護方法。
【請求項１４】
前記制御部により、前記入力部により選択された前記ページ編集対象ジョブにおける挿入位置のページ順が前記保護領域により保護されている場合、当該選択された挿入位置を保護領域でない位置まで移動してもよいか否かを判断し、移動してもよい場合、挿入位置を移動して移動された位置に前記挿入ページとして決定された画像データを挿入する工程を含む請求項１３に記載のページ順保護方法。
【請求項１５】
コンピュータに、
記憶部により、複数の画像データを含むことで連続したページを構成するジョブを記憶する機能と、
制御部により、前記ジョブにおいて構成される連続したページのうち、何れか一のページと他の何れか一のページとの間におけるページ順を保護する保護領域を決定し、決定された保護領域の情報を前記記憶されているジョブに対応付ける機能と、
を実現し、
コンピュータに、
前記制御部により、既に決定されている２以上の異なる保護領域にまたがって前記保護領域を決定しようとする場合、当該２以上の異なる保護領域を包含した領域まで保護領域を拡張し、拡張された保護領域の情報を前記記憶されているジョブに対応付ける機能を実現させるためのプログラム。
【請求項１６】
コンピュータに、
前記制御部により、前記保護領域による保護をより強化するため暗証番号からなる保護キーを生成し、生成された保護キーを前記保護領域の情報に対応付ける機能を実現させるための請求項１５に記載のプログラム。
【請求項１７】
前記ジョブは、ジョブ全体に関する設定情報を格納するジョブチケット及びジョブに含まれる画像データに関する設定情報をページごとに格納する複数のページチケットにより構成され、
コンピュータに、
前記制御部により、前記保護領域の情報を前記ジョブチケット又はページチケットに格納することにより、前記保護領域の情報を前記ジョブに対応付ける機能を実現させるための請求項１５又は１６に記載のプログラム。
【請求項１８】
コンピュータに、
表示部により、ジョブのページ編集を行うためのページ編集画面を表示し、該ページ編集画面において、ページ編集によりページが挿入される側のページ編集対象ジョブ及び該ページ編集対象ジョブにページを挿入する側の参照ジョブを表示する機能と、
入力部により、前記ページ編集画面においてページ編集を行う機能と、を実現させ、
前記制御部により、前記参照ジョブにおいて構成される何れか一のページが前記入力部により選択された場合、選択されたページのページ順が前記保護領域により保護されているか否かを判断し、保護されている場合、保護されている旨の内容を示す警告画面を前記表示部に表示する機能を実現させるための請求項１５〜１７の何れか一項に記載のプログラム。
【請求項１９】
コンピュータに、
前記制御部により、前記入力部により選択された前記参照ジョブのページのページ順が前記保護領域により保護されている場合、当該選択されたページを含む保護領域全体の画像データを前記ページ編集対象ジョブに挿入してもよいか否かを判断し、保護領域全体の画像データを挿入してもよい場合、保護領域全体の画像データを挿入ページとして決定する機能を実現させるための請求項１８に記載のプログラム。
【請求項２０】
コンピュータに、
前記制御部により、前記ページ編集対象ジョブにおいて構成される連続したページのページ間のうち、何れか一のページ間が前記挿入ページの挿入位置として前記入力部により選択された場合、選択された挿入位置のページ順が前記保護領域により保護されているか否かを判断し、保護されている場合、保護されている旨の内容を示す警告画面を前記表示部に表示する機能を実現させるための請求項１９に記載のプログラム。
【請求項２１】
コンピュータに、
前記制御部により、前記入力部により選択された前記ページ編集対象ジョブにおける挿入位置のページ順が前記保護領域により保護されている場合、当該選択された挿入位置を保護領域でない位置まで移動してもよいか否かを判断し、移動してもよい場合、挿入位置を移動して移動された位置に前記挿入ページとして決定された画像データを挿入する機能を実現させるための請求項２０に記載のプログラム。
【発明の詳細な説明】
【技術分野】
【０００１】
本発明は、画像形成装置、ページ順保護方法及びプログラムに関する。
【背景技術】
【０００２】
従来、画像形成装置では複数のジョブを編集可能に記憶しておくことができる。プロダクションプリント市場における画像形成装置では特に、ジョブの編集が頻繁に行われる。
【０００３】
特許文献１によれば、記憶されているジョブの編集が行われることによりジョブの所要時間が増加する場合、その旨の警告を画面に表示してジョブの編集を禁止する画像形成装置が開示されている。
【先行技術文献】
【特許文献】
【０００４】
【特許文献１】特開平１１−５２８０１号公報
【発明の概要】
【発明が解決しようとする課題】
【０００５】
しかし、特許文献１の画像形成装置によれば、複数の画像データを含むことにより連続したページを構成するジョブについて、ジョブの編集がされてページ順が変更された場合、変更されたページ順のままジョブが実行されてしまう問題がある。
【０００６】
ここで、ジョブの編集には、チケット編集及びページ編集がある。
チケット編集とは、例えば部数の変更、ステイプル設定やパンチ設定等の後処理設定など、ジョブ全体に関する編集をいう。チケット編集では、基本的にはジョブ単位で編集されるため、ページ順が変更されることはない。
【０００７】
ページ編集とは、例えばページの削除、入れ替え、挿入など、ページの構成内容に関する編集をいう。ページ編集では、編集位置（表紙又は本文）が指定され、指定された編集位置で上記の各種編集が行われる。すなわち、ページ編集では、ページ単位で編集されるため、ページ順が変更される場合がある。
【０００８】
ジョブの編集操作に熟練したユーザであれば、ページ編集によりページ順を変更した場合でもそのままジョブを実行する可能性は低い。しかし、操作に不慣れなユーザの場合、ページ編集によりページ順を変更したままジョブを実行する場合があり、現実に問題となっている。
【０００９】
なお、特定のユーザにのみジョブの編集を可能にするべく、ジョブの編集時にパスワードの入力を求める機能を付加した画像形成装置も存在するが、パスワードにより、「特定のユーザ」のうち操作に熟練したユーザと操作に不慣れなユーザとは区別されない。つまり、パスワードによりジョブの編集時に起こり得るページ順の変更を防止することはできず、ページ順が変更されたままジョブが実行される問題は解消できない。
【００１０】
本発明の課題は、ジョブの編集時にページ順を保護し得る画像形成装置、ページ順保護方法及びプログラムを提供することである。
【課題を解決するための手段】
【００１１】
請求項１に記載の本発明によれば、
複数の画像データを含むことで連続したページを構成するジョブを記憶する記憶部と、
前記ジョブにおいて構成される連続したページのうち、何れか一のページと他の何れか一のページとの間におけるページ順を保護する保護領域を決定し、決定された保護領域の情報を前記記憶されているジョブに対応付ける制御部と、
を備え、
前記制御部は、既に決定されている２以上の異なる保護領域にまたがって前記保護領域を決定しようとする場合、当該２以上の異なる保護領域を包含した領域まで保護領域を拡張し、拡張された保護領域の情報を前記記憶されているジョブに対応付ける画像形成装置が提供される。
【００１２】
また、請求項４に記載の発明によれば、請求項１に記載の発明において、
ジョブのページ編集を行うためのページ編集画面を表示し、該ページ編集画面において、ページ編集によりページが挿入される側のページ編集対象ジョブ及び該ページ編集対象ジョブにページを挿入する側の参照ジョブを表示する表示部と、
前記ページ編集画面においてページ編集を行うための入力部と、を備え、
前記制御部は、前記参照ジョブにおいて構成される何れか一のページが前記入力部により選択された場合、選択されたページのページ順が前記保護領域により保護されているか否かを判断し、保護されている場合、保護されている旨の内容を示す警告画面を前記表示部に表示する画像形成装置が提供される。
【００１３】
また、請求項５に記載の発明によれば、請求項４に記載の発明において、
前記制御部は、前記入力部により選択された前記参照ジョブのページのページ順が前記保護領域により保護されている場合、当該選択されたページを含む保護領域全体の画像データを前記ページ編集対象ジョブに挿入してもよいか否かを判断し、保護領域全体の画像データを挿入してもよい場合、保護領域全体の画像データを挿入ページとして決定する画像形成装置が提供される。
【００１４】
また、請求項６に記載の発明によれば、請求項５に記載の発明において、
前記制御部は、前記ページ編集対象ジョブにおいて構成される連続したページのページ間のうち、何れか一のページ間が前記挿入ページの挿入位置として前記入力部により選択された場合、選択された挿入位置のページ順が前記保護領域により保護されているか否かを判断し、保護されている場合、保護されている旨の内容を示す警告画面を前記表示部に表示する画像形成装置が提供される。
【００１５】
また、請求項７に記載の発明によれば、請求項６に記載の発明において、
前記制御部は、前記入力部により選択された前記ページ編集対象ジョブにおける挿入位置のページ順が前記保護領域により保護されている場合、当該選択された挿入位置を保護領域でない位置まで移動してもよいか否かを判断し、移動してもよい場合、挿入位置を移動して移動された位置に前記挿入ページとして決定された画像データを挿入する画像形成装置が提供される。
【００１６】
また、請求項８に記載の発明によれば、
記憶部により、複数の画像データを含むことで連続したページを構成するジョブを記憶する工程と、
制御部により、前記ジョブにおいて構成される連続したページのうち、何れか一のページと他の何れか一のページとの間におけるページ順を保護する保護領域を決定し、決定された保護領域の情報を前記記憶されているジョブに対応付ける工程と、
を含み、
前記制御部により、既に決定されている２以上の異なる保護領域にまたがって前記保護領域を決定しようとする場合、当該２以上の異なる保護領域を包含した領域まで保護領域を拡張し、拡張された保護領域の情報を前記記憶されているジョブに対応付ける工程を含むページ順保護方法が提供される。
【００１７】
また、請求項１１に記載の発明によれば、請求項８に記載の発明において、
表示部により、ジョブのページ編集を行うためのページ編集画面を表示し、該ページ編集画面において、ページ編集によりページが挿入される側のページ編集対象ジョブ及び該ページ編集対象ジョブにページを挿入する側の参照ジョブを表示する工程と、
入力部により、前記ページ編集画面においてページ編集を行う工程と、を含み、
前記制御部により、前記参照ジョブにおいて構成される何れか一のページが前記入力部により選択された場合、選択されたページのページ順が前記保護領域により保護されているか否かを判断し、保護されている場合、保護されている旨の内容を示す警告画面を前記表示部に表示する工程を含むページ順保護方法が提供される。
【００１８】
また、請求項１２に記載の発明によれば、請求項１１に記載の発明において、
前記制御部により、前記入力部により選択された前記参照ジョブのページのページ順が前記保護領域により保護されている場合、当該選択されたページを含む保護領域全体の画像データを前記ページ編集対象ジョブに挿入してもよいか否かを判断し、保護領域全体の画像データを挿入してもよい場合、保護領域全体の画像データを挿入ページとして決定する工程を含むページ順保護方法が提供される。
【００１９】
また、請求項１３に記載の発明によれば、請求項１２に記載の発明において、
前記制御部により、前記ページ編集対象ジョブにおいて構成される連続したページのページ間のうち、何れか一のページ間が前記挿入ページの挿入位置として前記入力部により選択された場合、選択された挿入位置のページ順が前記保護領域により保護されているか否かを判断し、保護されている場合、保護されている旨の内容を示す警告画面を前記表示部に表示する工程を含むページ順保護方法が提供される。
【００２０】
また、請求項１４に記載の発明によれば、請求項１３に記載の発明において、
前記制御部により、前記入力部により選択された前記ページ編集対象ジョブにおける挿入位置のページ順が前記保護領域により保護されている場合、当該選択された挿入位置を保護領域でない位置まで移動してもよいか否かを判断し、移動してもよい場合、挿入位置を移動して移動された位置に前記挿入ページとして決定された画像データを挿入する工程を含むページ順保護方法が提供される。
【００２１】
また、請求項１５に記載の発明によれば、
コンピュータに、
記憶部により、複数の画像データを含むことで連続したページを構成するジョブを記憶する機能と、
制御部により、前記ジョブにおいて構成される連続したページのうち、何れか一のページと他の何れか一のページとの間におけるページ順を保護する保護領域を決定し、決定された保護領域の情報を前記記憶されているジョブに対応付ける機能と、
を実現し、
コンピュータに、
前記制御部により、既に決定されている２以上の異なる保護領域にまたがって前記保護領域を決定しようとする場合、当該２以上の異なる保護領域を包含した領域まで保護領域を拡張し、拡張された保護領域の情報を前記記憶されているジョブに対応付ける機能を実現させるためのプログラムが提供される。
【００２２】
また、請求項１８に記載の発明によれば、請求項１５に記載の発明において、
コンピュータに、
表示部により、ジョブのページ編集を行うためのページ編集画面を表示し、該ページ編集画面において、ページ編集によりページが挿入される側のページ編集対象ジョブ及び該ページ編集対象ジョブにページを挿入する側の参照ジョブを表示する機能と、
入力部により、前記ページ編集画面においてページ編集を行う機能と、を実現させ、
前記制御部により、前記参照ジョブにおいて構成される何れか一のページが前記入力部により選択された場合、選択されたページのページ順が前記保護領域により保護されているか否かを判断し、保護されている場合、保護されている旨の内容を示す警告画面を前記表示部に表示する機能を実現させるためのプログラムが提供される。
【００２３】
また、請求項１９に記載の発明によれば、請求項１８に記載の発明において、
コンピュータに、
前記制御部により、前記入力部により選択された前記参照ジョブのページのページ順が前記保護領域により保護されている場合、当該選択されたページを含む保護領域全体の画像データを前記ページ編集対象ジョブに挿入してもよいか否かを判断し、保護領域全体の画像データを挿入してもよい場合、保護領域全体の画像データを挿入ページとして決定する機能を実現させるためのプログラムが提供される。
【００２４】
また、請求項２０に記載の発明によれば、請求項１９に記載の発明において、
コンピュータに、
前記制御部により、前記ページ編集対象ジョブにおいて構成される連続したページのページ間のうち、何れか一のページ間が前記挿入ページの挿入位置として前記入力部により選択された場合、選択された挿入位置のページ順が前記保護領域により保護されているか否かを判断し、保護されている場合、保護されている旨の内容を示す警告画面を前記表示部に表示する機能を実現させるためのプログラムが提供される。
【００２５】
また、請求項２１に記載の発明によれば、請求項２０に記載の発明において、
コンピュータに、
前記制御部により、前記入力部により選択された前記ページ編集対象ジョブにおける挿入位置のページ順が前記保護領域により保護されている場合、当該選択された挿入位置を保護領域でない位置まで移動してもよいか否かを判断し、移動してもよい場合、挿入位置を移動して移動された位置に前記挿入ページとして決定された画像データを挿入する機能を実現させるためのプログラムが提供される。
【発明の効果】
【００２６】
本発明によれば、ジョブの編集時にページ順を保護することができるため、ジョブの編集（特に、ページ編集）により、保護されたページ順が変更されることを防止することができる。よって、保護されたページ順が変更されてそのままジョブが実行されることを防止でき、印刷事故を防止することができる。
【図面の簡単な説明】
【００２７】
【図１】画像形成装置の概略構成図である。
【図２】画像形成装置の機能ブロック図である。
【図３】ジョブのデータ構成図である。
【図４】保護領域設定処理の制御フロー図である。
【図５】保護領域設定の概念図である。
【図６】保護領域解除処理の制御フロー図である。
【図７】保護領域解除の概念図である。
【図８】ページ編集時におけるページ順保護処理の制御フロー図である。
【図９】ページ編集画面である。
【図１０】ページ編集画面に重畳して表示される警告画面である。
【図１１】ページ編集画面に重畳して表示される警告画面である。
【発明を実施するための形態】
【００２８】
本実施形態における画像形成装置の構成及び動作について、図面を用いて詳細に説明する。なお、本実施形態ではモノクロの画像形成装置を例に挙げて説明しているが、本発明はこれに限らず、例えばカラーの画像形成装置によっても本発明を実現することは可能である。
【００２９】
図１に、画像形成システム１００の概略構成を示す。
画像形成システム１００は、画像形成装置１０及び後処理装置２０を備えて構成される。
【００３０】
画像形成装置１０は、自動原稿搬送部１１、スキャナ部１２、画像形成部１３、給紙部１４、操作表示部１５を備えて構成される。
【００３１】
自動原稿搬送部１１は、原稿載置トレイに載置された原稿を一枚ずつ所定の搬送路に搬送する。
【００３２】
スキャナ部１２は、光学系を備えて構成され、搬送される原稿又はプラテンガラス上に載置された原稿（図示省略）に光源を照射し、原稿から反射される反射光を受光する。スキャナ部１２は、受光された光信号を電気信号に変換し、変換された電気信号を制御部１ａに出力する。
【００３３】
画像形成部１３は、感光体ドラム及び感光体ドラムの周囲に沿って、帯電装置、露光装置、現像装置、転写装置、分離装置、分離爪、クリーニング装置等を備えて構成される。画像形成部１３は、スキャナ部１２により変換される電気信号又は外部ＰＣ３０（図２参照）から出力される画像データに基づいて、用紙Ｐにトナー像を形成する。トナー像が形成された用紙Ｐは、定着装置を経て後処理装置２０に搬送される。
【００３４】
給紙部１４は、複数のトレイを備えて構成される。複数のトレイは、それぞれ紙種やサイズが異なる用紙を収容することができる。給紙部１４は、用紙Ｐを所定の搬送路に搬送し、画像形成部１３に用紙Ｐを給紙する。
【００３５】
操作表示部１５は、ＬＣＤ（Liquid Crystal Display）及びタッチパネル等を備えて構成される。操作表示部１５は、制御部１ａの制御に基づいて、各種画面を表示する。
【００３６】
制御部１ａは、ＣＰＵ、ＲＡＭ、ＲＯＭ等を備えて構成される。ＣＰＵはＲＯＭ又は不揮発メモリ１ｂ（図２参照）に記憶されている各種プログラムをＲＡＭに展開し、展開された各種プログラムとの協働により画像形成システム１００の動作を統括的に制御する。なお、本実施形態では特に、制御部１ａによるジョブの編集に関する制御について後述する。
【００３７】
後処理装置２０は、パンチ処理を行うパンチユニット、ソート処理を行うソートユニット、折り処理を行う折りユニット、裁断処理を行う裁断ユニット、カッティング処理行うカッティングユニット等を備えて構成される。後処理装置２０は、画像形成装置１０から搬送された用紙Ｐに対して上記の各種後処理を行う。
【００３８】
図２に、画像形成システム１００の機能ブロック図を示す。
画像形成システム１００は、画像形成装置１０及び後処理装置２０を備えて構成され、画像形成装置１０と後処理装置２０とは各種信号線によりデータ通信可能に接続される。また、画像形成装置１０と外部ＰＣ３０とはＬＡＮによりデータ通信可能に接続される。
【００３９】
画像形成装置１０は、画像制御部１、スキャナ部１２、画像形成部１３、操作表示部１５、プリンタコントローラ１６等を備えて構成される。
【００４０】
画像制御部１は、制御部１ａ、不揮発メモリ１ｂ、読み取り処理部１ｃ、圧縮ＩＣ１ｄ、ＤＲＡＭ制御ＩＣ１ｅ、画像メモリ１ｆ、伸張ＩＣ１ｇ、書き込み処理部１ｈ等を備えて構成される。
【００４１】
制御部１ａは、ＣＰＵ、ＲＡＭ、ＲＯＭ等から構成され、ＲＯＭ又は不揮発メモリ１ｂに記憶されている各種プログラムを読み出してＲＡＭに展開し、展開された各種プログラムとの協働により各種処理を実行する。
【００４２】
不揮発メモリ１ｂは、書き換え可能な不揮発性のメモリを備えて構成され、各種プログラムや各種データを記憶する。
【００４３】
読み取り処理部１ｃは、ＣＣＤ１２ａから出力されるアナログ画像信号を入力し、入力されたアナログ画像信号にアナログ処理、シェーディング処理、Ａ／Ｄ変換処理等を行いデジタル画像データを生成する。読み取り処理部１ｃは、生成された画像データを圧縮ＩＣ１ｄに出力する。
【００４４】
圧縮ＩＣ１ｄは、読み取り処理部１ｃから出力される画像データを入力し、入力された画像データに圧縮処理を行った後、画像データをＤＲＡＭ制御ＩＣ１ｅに出力する。
【００４５】
ＤＲＡＭ制御ＩＣ１ｅは、読み取り処理部１ｃにより読み取られた画像データを圧縮ＩＣ１ｄにより圧縮し、圧縮画像データを圧縮メモリ１１ｆにより記憶する。
また、ＤＲＡＭ制御ＩＣ１ｅは、圧縮メモリ１１ｆから圧縮画像データを入力して伸張ＩＣ１ｇにより伸張し、伸張された非圧縮画像データをページメモリ１２ｆにより記憶する。更に、ＤＲＡＭ制御ＩＣ１ｅは、ページメモリ１２ｆに記憶されている非圧縮画像データを入力し、入力された非圧縮画像データを書き込み処理部１ｈに出力する。
【００４６】
画像メモリ１ｆは、ＤＲＡＭにより構成され、圧縮メモリ１１ｆ及びページメモリ１２ｆを備える。圧縮メモリ１１ｆは、圧縮画像データを記憶する。また、ページメモリ１２ｆは、画像形成前に画像形成対象の非圧縮画像データを一時的に記憶する。
【００４７】
伸張ＩＣ１ｇは、入力される圧縮画像データに伸張処理を行う。
【００４８】
書き込み処理部１ｈは、ＤＲＡＭ制御ＩＣ１ｅから入力された画像形成対象の画像データに基づいて、画像形成のための印刷用データを生成し、画像形成部１３に出力する。
【００４９】
スキャナ部１２は、ＣＣＤ１２ａ及びＣＣＤ１２ａを駆動制御するスキャナ制御部１２ｂを備えて構成される。スキャナ部１２は、プラテンガラスに載置された原稿面を光源により露光走査して原稿面からの反射光を受光し、受光された反射光をＣＣＤ１２ａにより光電変換してアナログ画像信号を生成する。スキャナ部１２は、生成されたアナログ画像信号を読み取り処理部１ｃに出力する。
【００５０】
画像形成部１３は、ＬＤ（Laser Diode）１３ａ及びＬＤ１３ａの画像形成動作を制御するプリンタ制御部１３ｂを備えて構成される。画像形成部１３は、用紙にトナー像を形成し、形成されたトナー像を定着させる一連の画像形成処理を行う。
【００５１】
操作表示部１５は、ＬＣＤ１５ａ、入力部１５ｂ、表示制御部１５ｃ等を備えて構成される。
ＬＣＤ１５ａは、ＬＣＤ１５ａを覆う入力部１５ｂ（例えば、タッチパネル）を備える。入力部１５ｂは、タッチパネル、マウス、操作キー群等を備える。入力部１５ｂは、タッチパネル等の押下により操作信号を生成し、生成された操作信号を制御部１ａに出力する。
表示制御部１５ｃは、制御部１ａから出力される表示信号を入力し、入力される表示信号に基づいて各種設定画面等をＬＣＤ１５ａに表示する。
【００５２】
プリンタコントローラ１６は、コントローラ制御ＣＰＵ１６ａ、ＬＡＮＩＦ１６ｂ、ＤＲＡＭ制御ＩＣ１６ｃ、画像メモリ１６ｄを備えて構成される。
【００５３】
コントローラ制御ＣＰＵ１６ａは、プリンタコントローラ１６の各部の動作を統括的に制御する。
ＬＡＮＩＦ１６ｂは、ＮＩＣやモデム等のＬＡＮと接続するための通信インターフェイスであり、外部ＰＣ３０から送信された画像データをＬＡＮを介して受信する。また、ＬＡＮＩＦ１６ｂは、受信された画像データをＤＲＡＭ制御ＩＣ１６ｃに出力する。
【００５４】
ＤＲＡＭ制御ＩＣ１６ｃは、画像データを画像メモリ１６ｄに出力し、画像メモリ１６ｄから画像データを入力する。また、ＤＲＡＭ制御ＩＣ１６ｃは、制御部１ａのＤＲＡＭ制御ＩＣ１ｅとＰＣＩバスで接続され、画像データ又は各種データをＤＲＡＭ制御ＩＣ１ｅに出力する。
【００５５】
画像メモリ１６ｄは、ＤＲＡＭにより構成され、画像データを一時的に記憶する。
【００５６】
後処理装置２０は、後処理制御部２０ａ及び各種ユニット（２０ｂ〜ｅ）を備えて構成される。
後処理制御部２０ａは、ＣＰＵ、ＲＡＭ、ＲＯＭ等から構成され、ＲＯＭに記憶されている各種プログラムを読み出してＲＡＭに展開し、展開された各種プログラムとの協働により各種処理を実行する。また、後処理制御部２０ａは、プリンタ制御部１３ｂを介して制御部１ａとデータ通信可能に接続される。
【００５７】
図３に、不揮発メモリ１ｂに編集可能に記憶されるジョブのデータ構成を示す。
不揮発メモリ１ｂには、複数のジョブ（ここでは、ジョブＪ１〜Ｊ３）が記憶されており、各ジョブはジョブチケット及び複数のページチケットを格納する。以下、ジョブＪ１を例に挙げて説明する。
【００５８】
ジョブＪ１は、ジョブチケットｊｔ１及び複数のページチケットｐｔ１〜ｐｔ１０を格納して構成される。ジョブＪ１は、１つのジョブに対して１つのジョブチケットｊｔ１を格納し、ページ数の分だけページチケットｐｔ１〜ｐｔ１０を格納する。
【００５９】
ジョブチケットｊｔ１は、ジョブ全体に関する設定情報を格納する。例えば、ジョブチケットｊｔ１は、部数、排紙、片面／両面印刷、給紙トレイ等の設定情報を格納する。
【００６０】
また、本実施形態では、ジョブチケットｊｔ１は保護情報を格納する。保護情報は、保護領域（ページ）の設定情報及びこれに対応付けられた保護キーにより構成される。
【００６１】
ジョブチケットｊｔ１の保護情報によれば、ページ１〜３、ページ４〜５、ページ７〜１０のページ順を保護するように保護領域が設定されている。更に、ページ１〜５のページ順を保護するように保護領域が設定されている。
設定された保護領域ではページ順が保護されるため、基本的には、ユーザはページ編集によりページ順を変更すること（例えば、ページの削除、入れ替え、挿入等）ができない。或いは、ページ順を変更することができる場合でも、ユーザは一旦保護を解除したり、画面上のアラート表示に従って操作したりする必要がある。
【００６２】
なお、本実施形態では、保護情報はジョブチケットｊｔ１に格納されるとしたがこれに限らず、例えばページチケットｐｔ１〜ｐｔ１０のそれぞれに格納されるとしてもよい。また、保護情報は、ジョブチケットｊｔ１やページチケットｐｔ１〜ｐｔ１０に格納されず、独立した情報として不揮発メモリ１ｂに記憶されるとしてもよい。この場合、保護情報はジョブＪ１に対応付けて記憶される。
【００６３】
ページチケットｐｔ１〜ｐｔ１０は、ページごとの設定情報をそれぞれ格納する。例えば、ページチケットｐｔ１は、１ページ目の画像の倍率や角度、用紙の種類等の設定情報を格納する。
【００６４】
図４を参照して、保護領域設定処理について説明する。
図４に示す保護領域設定処理により、ジョブのページ順について保護設定を行うことができる。保護設定を行うことにより、ジョブの編集（特に、ページ編集）によってページ順が容易に変更されることを防止することができる。処理の前提として、保護領域を設定する画面（以下、保護領域設定画面）が操作表示部１５に表示されているものとする。
【００６５】
制御部１ａは、ページ編集を行う権限の有無を判断する（ステップＳ１）。
ステップＳ１において、制御部１ａは、例えば予め定められたパスワードの入力画面を保護領域設定画面上に重畳して表示し、入力されたパスワードと予め定められたパスワードとが一致するか否か判断する。一致する場合、制御部１ａはページ編集を行う権限があると判断する。また、一致しない場合、制御部１ａは権限がないと判断する。
【００６６】
なお、制御部１ａは、パスワードが一定時間経過しても入力されない場合、ページ編集を行う権限がないものと判断してもよい。また、パスワードの入力画面を重畳して表示している間は、保護領域設定画面における操作を無効化してもよい。
【００６７】
ページ編集を行う権限がない場合（ステップＳ１；Ｎ）、制御部１ａは、保護領域設定処理を終了する。具体的には上記したように、入力されたパスワードが予め定められたパスワードと一致しない場合やパスワードが一定時間入力されなかった場合、制御部１ａは、ページ編集を行う権限がないものと判断して保護領域設定処理を終了する。
【００６８】
ページ編集を行う権限がある場合（ステップＳ１；Ｙ）、制御部１ａは、入力部１５ｂにより生成される操作信号に基づいて、保護領域のスタートページを決定する（ステップＳ２）。
【００６９】
また、制御部１ａは、入力部１５ｂにより生成される操作信号に基づいて、保護領域のエンドページを決定する（ステップＳ３）。
【００７０】
制御部１ａは、保護領域のスタートページ及びエンドページを決定した後、決定された領域のページ順を保護するか否か判断する（ステップＳ４）。
【００７１】
決定された領域のページ順を保護しない場合（ステップＳ４；Ｎ）、制御部１ａは、ステップＳ２に移行する。
決定された領域のページ順を保護する場合（ステップＳ４；Ｙ）、制御部１ａは、保護領域の拡張が必要か否か判断する（ステップＳ５）。
【００７２】
保護領域の拡張とは、既に保護されている２以上の異なる保護領域にまたがって新たに保護領域を設定する場合、この２以上の保護領域を包含した領域まで保護領域を拡張することをいう。制御部１ａは、例えばページ１〜３とページ４〜５とがそれぞれ既に保護されている場合であって、新たにページ３〜４を保護領域として設定しようとする場合、保護領域の拡張が必要であると判断し、保護領域をページ１〜５まで拡張する。
【００７３】
保護領域の拡張が必要ではない場合（ステップＳ５；Ｎ）、制御部１ａは、ステップＳ７に移行する。
保護領域の拡張が必要である場合（ステップＳ５；Ｙ）、制御部１ａは、保護領域を拡張する（ステップＳ６）。
【００７４】
制御部１ａは、保護キーを付加するか否か判断する（ステップＳ７）。
保護キーとは、ページ順の保護をより強化してページ順が変更されないための暗証番号である。保護キーは、本処理により設定される保護領域に対応付けられて不揮発メモリ１ｂに記憶される（図３参照）。
【００７５】
保護キーを付加しない場合（ステップＳ７；Ｎ）、制御部１ａは、ステップＳ９に移行する。
保護キーを付加する場合（ステップＳ７；Ｙ）、制御部１ａは保護キーを決定する（ステップＳ８）。
【００７６】
制御部１ａは、不揮発メモリ１ｂに記憶されているジョブチケットの設定情報を更新して（ステップＳ９）、保護領域設定処理を終了する。
【００７７】
図５に、保護領域設定の概念図を示す。
図５に示す概念図は、保護領域Ａ及び保護領域Ｂが既に設定されていることを前提とし、新たにページ３〜４を保護領域に設定する場合の概念図である。
【００７８】
Ｔ１に、当初の保護領域Ａ及びＢの状態を示す。保護領域Ａはページ１〜３のページ順を保護していることを示し、保護領域Ｂはページ４〜５のページ順を保護していることを示す。
【００７９】
Ｔ２に、新たに設定しようとする保護領域のスタートページを「３」とし、エンドページを「４」として選択した状態を示す。
【００８０】
Ｔ３に、新たに設定された保護領域Ｃの状態を示す。保護領域Ｃは、Ｔ２において選択された領域（ページ３〜４）が既に保護されている２つの異なる保護領域（保護領域Ａ及びＢ）にまたがっているため、保護領域Ａ及びＢの２つの領域を包含して保護するように保護領域を拡張し、ページ１〜５のページ順を保護していることを示す。
【００８１】
図６を参照して、保護領域解除処理について説明する。
図６に示す保護領域解除処理により、ジョブの保護されたページ順について保護を解除することができる。処理の前提として、保護領域を解除する画面（以下、保護領域解除画面）が操作表示部１５に表示されているものとする。
【００８２】
制御部１ａは、ページ編集を行う権限の有無を判断する（ステップＳ１１）。
ステップＳ１１において、制御部１ａは、例えば予め定められたパスワードの入力画面を保護領域解除画面上に重畳して表示し、入力されたパスワードと予め定められたパスワードとが一致するか否か判断する。一致する場合、制御部１ａはページ編集を行う権限があると判断する。また、一致しない場合、制御部１ａは権限がないと判断する。
なお、制御部１ａは、パスワードが一定時間経過しても入力されない場合はページ編集を行う権限がないものと判断してもよい。また、パスワードの入力画面を重畳して表示している間は、保護領域解除画面における操作を無効化してもよい。
【００８３】
ページ編集を行う権限がない場合（ステップＳ１１；Ｎ）、制御部１ａは、保護領域解除処理を終了する。具体的には上記したように、入力されたパスワードが予め定められたパスワードと一致しない場合やパスワードが一定時間入力されなかった場合、制御部１ａは、ページ編集を行う権限がないものと判断して保護領域解除処理を終了する。
【００８４】
ページ編集を行う権限がある場合（ステップＳ１１；Ｙ）、制御部１ａは、入力部１５ｂにより生成された操作信号に基づいて、保護解除のページを決定する（ステップＳ１２）。
【００８５】
制御部１ａは、決定された保護解除のページは保護領域のページであるか否か判断する（ステップＳ１３）。
保護領域のページでない場合（ステップＳ１３；Ｎ）、制御部１ａは、ステップＳ１２に移行する。
保護領域のページである場合（ステップＳ１３；Ｙ）、制御部１ａは、保護領域を解除するか否か判断する（ステップＳ１４）。
【００８６】
保護領域を解除するか否かの判断に際して、例えば制御部１ａは、保護領域解除画面上に重畳して、解除してもよいか否かの警告画面及びＯＫ／ＮＧボタンを表示する。制御部１ａは、入力部１５ｂによりＯＫボタンが押下された場合、保護領域を解除する処理に移行し、ＮＧボタンが押下された場合は保護領域を解除しない処理に移行する。
【００８７】
保護領域を解除しない場合（ステップＳ１４；Ｎ）、制御部１ａは、ステップＳ１２に移行する。
保護領域を解除する場合（ステップＳ１４；Ｙ）、制御部１ａは、保護領域は多重であるか否か判断する（ステップＳ１５）。
【００８８】
保護領域が「多重」である場合とは、一のページが複数の保護領域により保護されている場合をいう。例えば、ページ１〜３が保護領域Ａにより保護されており、ページ４〜５が保護領域Ｂにより保護されており、更に、ページ１〜５が保護領域Ｃにより保護されているような場合、ページ１〜５の何れのページも保護領域は多重であるといえる。一方、保護領域Ｃにより保護されていない場合、保護領域は多重ではない。
【００８９】
保護領域が多重でない場合（ステップＳ１５；Ｎ）、制御部１ａは、一番外側の保護領域を抽出する（ステップＳ１６）。なお、ここでは「一番外側の保護領域を抽出する」と表現しているが、保護が多重ではないので単に「保護領域を抽出する」との意味である。
ステップＳ１６の後、制御部１ａは、ステップＳ１９に移行する。
【００９０】
保護領域が多重である場合（ステップＳ１５；Ｙ）、制御部１ａは、全ての保護領域を解除するか否か判断する（ステップＳ１７）。
全ての保護領域を解除するか否かの判断に際しては、ステップＳ１４における処理と同様としてもよい。すなわち、制御部１ａは、保護領域解除画面上に重畳して、全ての保護領域を解除しても良いか否かの警告画面及びＯＫ／ＮＧボタンを表示する。制御部１ａは、入力部１５ｂによりＯＫボタンが押下された場合、全て解除する処理に移行し、ＮＧボタンが押下された場合は一番外側の保護領域を解除する処理に移行する。
【００９１】
全ての保護領域を解除しない場合（ステップＳ１７；Ｎ）、制御部１ａは、ステップＳ１６に移行する。
全ての保護領域を解除する場合（ステップＳ１７；Ｙ）、制御部１ａは、全ての保護領域を抽出する（ステップＳ１８）。
【００９２】
制御部１ａは、抽出された保護領域に保護キーが設定されているか否か判断する（ステップＳ１９）。
保護キーが設定されていない場合（ステップＳ１９；Ｎ）、制御部１ａは、ステップＳ２１に移行する。
保護キーが設定されている場合（ステップＳ１９；Ｙ）、制御部１ａは、保護キーが入力されたか否か判断する（ステップＳ２０）。
保護キーの入力に際して、例えば制御部１ａは、保護領域解除画面上に重畳して、保護キー入力画面を表示する。
【００９３】
保護キーが入力されない場合（ステップＳ２０；Ｎ）、制御部１ａは、入力されるまで待機する。
保護キーが入力された場合（ステップＳ２０；Ｙ）、制御部１ａは、ステップＳ１６又はステップＳ１８において抽出された保護領域を解除して（ステップＳ２１）、保護領域解除処理を終了する。
【００９４】
図７に、保護領域解除の概念図を示す。
図７に示す概念図は、保護領域Ａ、Ｂ、及びＣが既に設定されていることを前提とし、ページ４の保護を解除する場合の概念図である。
【００９５】
Ｔ４に、当初の保護領域Ａ、Ｂ、及びＣの状態を示す。保護領域Ａはページ１〜３のページ順を保護していることを示し、保護領域Ｂはページ４〜５のページ順を保護していることを示す。更に、保護領域Ｃはページ１〜５のページ順を保護していることを示す。すなわち、ページ１〜５はそれぞれ多重に保護されている。
また、Ｔ４に、保護を解除するページを「４」として選択した状態を示す。
【００９６】
Ｔ５に、一番外側の保護領域が抽出されて解除された状態を示す。一番外側の保護領域は保護領域Ｃであったため、保護領域Ｃは解除されて保護領域Ｂが維持される。
【００９７】
Ｔ６に、全ての保護領域が抽出されて解除された状態を示す。ページ４についての保護領域は保護領域Ｂ及びＣであり多重に保護されていたため、保護領域Ｂ及びＣは解除される。
【００９８】
図８を参照して、ページ編集時におけるページ順保護処理について説明する。
図８に示すページ順保護処理により、ページ編集時にページ順が容易に変更されることを防止することができる。処理の前提として、ページ編集時の画面（以下、ページ編集画面）が操作表示部１５に表示されているものとする。
【００９９】
図９に、ページ編集画面Ｇ１を示す。
ページ編集画面Ｇ１は、領域Ｒ１及び領域Ｒ２により構成される。
領域Ｒ１には、参照ジョブが表示される。参照ジョブとは、ページ編集によりページを挿入する側のジョブである。
領域Ｒ２には、ページ編集の対象となっているジョブ（以下、ページ編集対象ジョブ）が表示される。ページ編集対象ジョブは、ページ編集によりページが挿入される側のジョブである。
【０１００】
図９では、ページ編集画面Ｇ１において、ページ編集対象ジョブのページ３とページ４との間に参照ジョブのページ４を挿入しようとしている状況を示している。
【０１０１】
図８に戻り、制御部１ａは、不揮発メモリ１ｂに記憶されている複数のジョブのうち、何れか一のジョブを参照ジョブとして決定する（ステップＳ３１）。
【０１０２】
制御部１ａは、決定された参照ジョブは保護領域が設定されているジョブ（以下、保護ジョブ）であるか否か判断する（ステップＳ３２）。
なお、制御部１ａは、判断に際してジョブチケットを参照する。
【０１０３】
保護ジョブでない場合（ステップＳ３２；Ｎ）、制御部１ａは、ステップＳ３６に移行する。
保護ジョブである場合（ステップＳ３２；Ｙ）、制御部１ａは、ページ編集画面（図９参照）上に重畳して、警告画面を表示する（ステップＳ３３）。
【０１０４】
図１０に、ページ編集画面に重畳して表示される警告画面Ｇ２１を示す。
警告画面Ｇ２１は、ページ編集画面Ｇ２に重畳して表示される。警告画面Ｇ２１には、保護ジョブである旨や挿入してもよいか否か等の警告内容が表示される。
図１０では、参照ジョブの全ページが保護領域Ａ１により保護設定されていた場合の警告画面Ｇ２１を示している。参照ジョブの全ページが保護領域である場合、警告画面Ｇ２１では、保護ジョブである旨の警告内容とともに、ジョブ全体（全ページ）を挿入するか否かの選択内容が表示される。
【０１０５】
図８に戻り、制御部１ａは、ジョブ全体（全ページ）を処理するか否か判断する（ステップＳ３４）。
判断に際して、例えば制御部１ａは、警告画面Ｇ２１において「はい」が選択された場合、ジョブ全体を処理する。また、「キャンセル」が選択された場合、ジョブ全体の処理をしない。
【０１０６】
ジョブ全体の処理をしない場合（ステップＳ３４；Ｎ）、制御部１ａは、ステップＳ３１に移行する。
ジョブ全体の処理をする場合（ステップＳ３４；Ｙ）、制御部１ａは、ジョブの全ページを挿入ページとして決定する（ステップＳ３５）。
【０１０７】
制御部１ａは、挿入ページの挿入位置を決定する（ステップＳ３５）。
決定に際して、例えば制御部１ａは、入力部１５ｂ（例えば、マウス）のドラッグ＆ドロップ操作により指定された位置を挿入ページの挿入位置として決定する。
【０１０８】
制御部１ａは、ページ編集対象ジョブにおいて決定された挿入位置は保護領域であるか否か判断する（ステップＳ３７）。
保護領域でない場合（ステップＳ３７；Ｎ）、制御部１ａは、ステップＳ４０に移行する。
保護領域である場合（ステップＳ３７；Ｙ）、制御部１ａは、ページ編集画面（図９参照）上に重畳して、警告画面を表示する（ステップＳ３８）。
【０１０９】
図１１に、ページ編集画面に重畳して表示される警告画面Ｇ３１を示す。
警告画面Ｇ３１は、ページ編集画面Ｇ３に重畳して表示される。警告画面Ｇ３１には、保護領域である旨や挿入位置を変更する旨、又は保護設定を解除する旨等の警告内容が表示される。
図１１では、ページ編集対象ジョブのページ２〜７が保護領域Ａ２により保護設定されていた場合の警告画面Ｇ３１を示している。保護領域Ａ２における何れかのページ間に参照ジョブのページを挿入しようとする場合、警告画面Ｇ３１では、保護領域である旨とともに、挿入位置を変更する旨（「前へ移動」、「後へ移動」）、キャンセルする旨（「キャンセル」）、保護領域Ａ２による保護を解除する旨（「保護解除」）の警告内容が表示される。
【０１１０】
「前へ移動」が入力部１５ｂにより押下された場合、制御部１ａは、挿入位置をページ編集対象ジョブのページ１とページ２との間に移動する。
また、「後へ移動」が入力部１５ｂにより押下された場合、制御部１ａは、挿入位置をページ編集対象ジョブのページ７とページ８との間に移動する。
また、「保護解除」が入力部１５ｂにより押下された場合、制御部１ａは、保護領域Ａ２による保護を解除する。或いは、保護領域解除処理（図６参照）に移行してもよい。
【０１１１】
図８に戻り、制御部１ａは、挿入位置を移動するか否か判断する（ステップＳ３９）。
挿入位置を移動しない場合（ステップＳ３９；Ｎ）、制御部１ａは、ステップＳ３６に移行する。例えば制御部１ａは、警告画面Ｇ３１において、入力部１５ｂにより「キャンセル」が押下された場合、ステップＳ３６に移行する。
【０１１２】
挿入位置を移動する場合（ステップＳ３９；Ｙ）、制御部１ａは、挿入位置を保護領域Ａ２の前、又は後に移動する（ステップＳ４０）。
【０１１３】
制御部１ａは、移動された位置に挿入ページを挿入して（ステップＳ４１）、ページ編集時におけるページ順保護処理を終了する。
【０１１４】
以上のように、本実施形態によれば、複数のページで構成されるジョブを編集可能に記憶部（不揮発メモリ１ｂ）に記憶しておくことができ、記憶されているジョブについて保護領域を決定することができる。また、決定された保護領域の情報をジョブに対応付けることができる。
【０１１５】
また、保護領域を決定する際、保護領域の拡張が必要な場合は保護領域を拡張することができる。
【０１１６】
また、決定された保護領域に保護キーを対応付けることができ、保護をより強化することができる。
【０１１７】
また、ジョブはジョブチケット及びページチケットにより構成されており、保護領域の情報をジョブチケット又はページチケットに格納することで保護領域の情報をジョブに対応付けることができる。
【０１１８】
また、ページ編集時において、参照ジョブが保護ジョブである場合、ページ編集画面上に、参照ジョブが保護ジョブである旨の警告画面を表示することができる。
【０１１９】
また、ページ編集時において、参照ジョブが保護ジョブである場合、ページ編集画面上に、保護領域全体を処理するか否かを選択させる選択画面を表示することができる。選択画面上において、入力部１５ｂにより保護領域全体を処理する選択がされた場合、保護領域全体を挿入ページとして決定することができる。
【０１２０】
また、ページ編集時において、ページ編集対象ジョブにおける保護領域にページを挿入しようとする場合、ページ編集画面上に、挿入しようとする位置は保護領域である旨の警告画面を表示することができる。
【０１２１】
また、ページ編集時において、ページ編集対象ジョブにおける保護領域にページを挿入しようとする場合、ページ編集画面上に、挿入位置を保護領域外の位置に移動してもよいか否か選択させる選択画面を表示することができる。選択画面上において、入力部１５ｂにより移動してもよい選択がされた場合、挿入位置を移動して挿入ページを挿入することができる。
【符号の説明】
【０１２２】
１００      画像形成システム
１０        画像形成装置
１１        自動原稿搬送部
１２        スキャナ部
１３        画像形成部
１４        給紙部
１５        表示部
２０        後処理装置
１ａ        制御部
１ｂ        不揮発メモリ
１５        表示部
１５ｂ      入力部
【図１】
0005621249.tif 000002
【図２】
0005621249.tif 000003
【図３】
0005621249.tif 000004
【図４】
0005621249.tif 000005
【図５】
0005621249.tif 000006
【図６】
0005621249.tif 000007
【図７】
0005621249.tif 000008
【図８】
0005621249.tif 000009
【図９】
0005621249.tif 000010
【図１０】
0005621249.tif 000011
【図１１】
0005621249.tif 000012